(57)【要約】【課題】断熱性能を向上させても、外箱と内箱との間に発泡断熱材を発泡充填する際、背面板と側面板との接合部から発泡断熱材が漏れ出してしまうことを防止できる断熱箱体を得る。【解決手段】断熱箱体５０の外箱５１の側面板１１の後端部には後方に開口した断面略Ｕ字状の係合凹部１２が形成されている。外箱５１の背面板１は側面板１１側に延設されたフランジ５を備え、フランジ５は、係合凹部１２に挿入される挿入部３と、係合凹部１２から突き出る非挿入部４と、を有している。挿入部３は、階段状に折り曲げられた折り曲げ部３ａ、折り曲げ部３ａよりも非挿入部４側に設けられた基端側板部３ｂ及び折り曲げ部３ａよりも先端側に設けられた先端側板部３ｃで構成されている。挿入部３の基端側板部３ｂは係合凹部１２内において側面部１２ａと接触し、先端側板部３ｃは係合凹部１２内において側面部１２ｂと接触する。【選択図】図４
2014035121.tif 000002
【特許請求の範囲】
【請求項１】
内箱及び外箱を有し、前記内箱と前記外箱との間の空間に少なくとも発泡断熱材が充填された断熱箱体であって、
前記外箱の側面板及び天井板の背面板側端部である後端部は、内側に複数回折り曲げられて、該後端部には後方に開口した断面略Ｕ字状の係合凹部が形成され、
前記外箱の背面板は、前記側面板及び前記天井板側に延設されたフランジを備え、
前記フランジは、前記係合凹部に挿入される挿入部と、前記係合凹部から突き出る非挿入部と、を有し、
前記挿入部は、階段状に折り曲げられた折り曲げ部、該折り曲げ部よりも前記非挿入部側に設けられた基端側板部、及び、前記折り曲げ部よりも先端側に設けられた先端側板部で構成され、
前記挿入部の前記基端側板部及び前記先端側板部のうちの一方は、前記係合凹部内において、前記係合凹部の一方の側面部と接触し、
前記挿入部の前記基端側板部及び前記先端側板部のうちの他方は、前記係合凹部内において、前記係合凹部の他方の側面部と接触することを特徴とする断熱箱体。
【請求項２】
前記背面板の前記フランジの前記非挿入部は、
前記側面板及び前記天井板と略同一面に配置される第１の非挿入部と、
前記第１の非挿入部と前記挿入部とを連結し、前記係合凹部の後端部と接触する第２の非挿入部と、
を備えたことを特徴とする請求項１に記載の断熱箱体。
【請求項３】
前記挿入部の前記基端側板部は、前記係合凹部の側面部のうち、前記内箱側に設けられた内側側面部に接触し、
前記挿入部の前記先端側板部は、前記係合凹部の側面部のうち、前記内側側面部よりも前記内箱から離れた側に設けられた外側側面部に接触することを特徴とする請求項１又は請求項２に記載の断熱箱体。
【請求項４】
請求項１〜請求項３のいずれか一項に記載の断熱箱体を備えたことを特徴とする冷蔵庫。
【発明の詳細な説明】
【技術分野】
【０００１】
本発明は、断熱箱体及びこの断熱箱体を備えた冷蔵庫に関し、特に外箱を構成する側面板及び天井板と背面板との間から発泡断熱材が漏れることを防止する断熱箱体及びこの断熱箱体を備えた冷蔵庫に関する。
【背景技術】
【０００２】
従来の冷蔵庫の外郭は、断熱箱体で構成されている。この断熱箱体は、外箱、内箱、及びこれらの間の空間に充填された発泡断熱材を備えている。また、従来の断熱箱体には、外箱の側面板、天面板、底板及び背面板を別部材で形成し、これらを接合して外箱を形成するものがある。例えば、側面板及び天面板と背面板との接合構造としては、特許文献１に開示されているものがある。
【先行技術文献】
【特許文献】
【０００３】
【特許文献１】特開２００３−３４３９７２号公報（図４，６）
【発明の概要】
【発明が解決しようとする課題】
【０００４】
図６は、従来の冷蔵庫における側面板と背面板との接合構造を示す断面図である。なお、２点鎖線で示す基板部１０２の位置が、従来の背面板１０１の基板部１０２の位置である。
従来の冷蔵庫は、外箱の側面板１１１の後端部（背面板１０１側端部）を内側に複数回折り曲げ、側面板１１１の後端部に、後方に開口した断面略Ｕ字状の係合凹部１１２を形成している。一方、外箱の背面板１０１には、基板部１０２の端部から側面板１１１側へ、フランジ１０３が延設されている。そして、側面板１１１の係合凹部１１２に背面板１０１のフランジ１０３を挿入することにより、側面板１１１と背面板１０１は接合される。このとき、側面板１１１と背面板１０１とは、２カ所の接触部１２１，１２２で接触している。詳しくは、接触部１２１は、背面板１０１のフランジ１０３の先端部が側面板１１１の係合凹部１１２内と接触する箇所である。また、接触部１２２は、背面板１０１における基板部１０２とフランジ１０３の接続部近傍が側面板１１１の係合凹部１１２の先端部（係合凹部１１２の外部）と接触する箇所である。
【０００５】
このような従来の側面板１１１と背面板１０１との接合構造を用いた断熱箱体において断熱性能を向上させようとした場合、背面板１０１を後方に配置して、背面板１０１の端部に断熱材を充填することが考えられる。このような場合、背面板１０１の基板部１０２を後方に移動させて断熱材の充填スペースを設ける必要がある。つまり、図６において、背面板１０１の基板部１０２の位置を、２点鎖線で示す位置から実線で示す位置に移動させる必要がある。このため、背面板１０１のフランジ１０３に、係合凹部１１２に挿入されない非挿入部１０４を例えば側面板１１１と略平行に形成する必要がある。しかしながら、従来の側面板１１１と背面板１０１との接合構造を用いた断熱箱体において前記のような非挿入部１０４を設けた場合、係合凹部１１２の外部で背面板１０１と側面板１１１とが接触していた接触部１２２の接触面積が、小さくなってしまう。このため、従来の冷蔵庫において断熱箱体の断熱性能を向上させようとした場合、外箱と内箱との間に発泡断熱材を発泡充填する際、背面板１０１と側面板１１１との接合部から発泡断熱材が漏れ出してしまうという問題点があった。
【０００６】
本発明は、上記の問題点を解決するためになされたもので、断熱性能を向上させても、外箱と内箱との間に発泡断熱材を発泡充填する際、背面板と側面板との接合部から発泡断熱材が漏れ出してしまうことを防止できる断熱箱体、及びこの断熱箱体を備えた冷蔵庫を得ることを目的とする。
【課題を解決するための手段】
【０００７】
本発明に係る断熱箱体は、内箱及び外箱を有し、前記内箱と前記外箱との間の空間に少なくとも発泡断熱材が充填された断熱箱体であって、前記外箱の側面板及び天井板の背面板側端部である後端部は、内側に複数回折り曲げられて、該後端部には後方に開口した断面略Ｕ字状の係合凹部が形成され、前記外箱の背面板は、前記側面板及び前記天井板側に延設されたフランジを備え、前記フランジは、前記係合凹部に挿入される挿入部と、前記係合凹部から突き出る非挿入部と、を有し、前記挿入部は、階段状に折り曲げられた折り曲げ部、該折り曲げ部よりも前記非挿入部側に設けられた基端側板部、及び、前記折り曲げ部よりも先端側に設けられた先端側板部で構成され、前記挿入部の前記基端側板部及び前記先端側板部のうちの一方は、前記係合凹部内において、前記係合凹部の一方の側面部と接触し、前記挿入部の前記基端側板部及び前記先端側板部のうちの他方は、前記係合凹部内において、前記係合凹部の他方の側面部と接触するものである。
【０００８】
また、本発明に係る冷蔵庫は、本発明に係る断熱箱体を備えたものである。
【発明の効果】
【０００９】
本発明は、側面板の係合凹部に挿入されない非挿入部を背面板のフランジに設けているので、背面板の端部に断熱材の充填スペースを設けることができる。このため、本発明は、断熱箱体の断熱性能を向上させることができる。この際、本発明は、背面板のフランジの挿入部が側面板の係合凹部内の２カ所で接触しているので、側面板と背面板との接合部において両者の接触面積を十分に確保することができる。このため、本発明は、外箱と内箱との間に発泡断熱材を発泡充填する際、背面板と側面板との接合部から発泡断熱材が漏れ出してしまうことも防止できる。
【図面の簡単な説明】
【００１０】
【図１】本発明の実施の形態１に係る冷蔵庫を示す側面断面図である。
【図２】本実施の形態１に係る外箱を示す分解斜視図である。
【図３】本実施の形態１に係る外箱を示す組立斜視図である。
【図４】本実施の形態１に係る側面板と背面板との接続構造を示す断面図であり、図３のＺ−Ｚ断面図である。
【図５】本発明の実施の形態２に係る冷蔵庫の側面板と背面板との接続構造を示す断面図である。
【図６】従来の冷蔵庫における側面板と背面板との接合構造を示す断面図である。
【発明を実施するための形態】
【００１１】
実施の形態１．
図１は、本発明の実施の形態１に係る冷蔵庫を示す側面断面図である。なお、図１の左側が冷蔵庫９０の前面側となる。
【００１２】
本実施の形態１に係る冷蔵庫９０は、冷蔵庫９０の外殻となる断熱箱体５０を備えている。この断熱箱体５０は、主に断熱箱体５０の外周面を形成する外箱５１と、主に断熱箱体５０の内周面を形成する内箱５２と、外箱５１の内周側と内箱５２の外周側との間の空間に充填された真空断熱材５３及び発泡断熱材５４（例えば硬質ウレタンフォーム）と、を備えている。このように構成された断熱箱体５０は、その内部（つまり内箱５２の内周側）が仕切板５５によって温度帯が異なるいくつかの貯蔵室（冷蔵室、冷凍室、野菜室及び製氷室等）に区画されている。これら各貯蔵室は前方が開口しており、各貯蔵室の前方の開口部は、扉５６で開閉自在に閉塞されている。また、断熱箱体５０には、背面側に冷却器５７が設けられている。この冷却器５７で冷却された冷気は、ダクトを介して各貯蔵室に導入される。
【００１３】
また、本実施の形態１に係る冷蔵庫９０は、断熱箱体５０の外箱５１が次のように構成されている。
【００１４】
図２は、本実施の形態１に係る外箱を示す分解斜視図である。また、図３は、この外箱を示す組立斜視図である。
図２及び図３に示すように、本実施の形態１に係る外箱５１は、一体形成された側面板１１と天井板３０を備えている。そして、一体形成された側面板１１及び天井板３０に背面板１や図示せぬ底面部等を接合することにより、外箱５１は製作される。なお、側面板１１と天井板３０を別部品として構成しても勿論よい。
【００１５】
ここで、本実施の形態１では、側面板１１及び天井板３０と背面板１とを次のように接合している。なお、天井板３０と背面板１との接合構造は、側面板１１と背面板１との接合構造と同様の構成となっている。このため、以下では、側面板１１と背面板１との接合構造について説明する。
【００１６】
図４は、本実施の形態１に係る側面板と背面板との接続構造を示す断面図であり、図３のＺ−Ｚ断面図である。
側面板１１の後端部（背面板１側端部）は、内側に複数回折り曲げられている。これにより、側面板１１の後端部には、後方に開口した断面略Ｕ字状の係合凹部１２が形成されている。一方、背面板１には、基板部２の端部から側面板１１側へ、フランジ５が延設されている。また、フランジ５は、係合凹部１２に挿入される挿入部３と、係合凹部から突き出る非挿入部４と、で構成されている。なお、本実施の形態１では、側面板１１と略平行な平板形状に非挿入部４を形成している。フランジ５に非挿入部４を設けることにより、背面板１の基板部２が後方に移動するので、背面板１の端部（換言すると、側面板１１の後方）に真空断熱材５３や発泡断熱材５４を設けるスペースを確保することができる。このため、断熱箱体５０の断熱性能を向上させることができる。
【００１７】
また、背面板１のフランジ５の挿入部３は、階段状に折り曲げられた折り曲げ部３ａ、折り曲げ部３ａよりも非挿入部４側に設けられた基端側板部３ｂ、及び、折り曲げ部３ａよりも先端側に設けられた先端側板部３ｃで構成されている。挿入部３をこのような構成にすることにより、挿入部３は、折り曲げ部３ａ内の２カ所の接触部２１，２２で接触することとなる。詳しくは、基端側板部３ｂは、係合凹部１２の側面部１２ａ（内箱５２側に設けられた側面部、本発明の内側側面部に相当）の内面部に接触する（接触部２２）。また、先端側板部３ｃは、係合凹部１２の側面部１２ｂ（側面部１２ａよりも内箱５２から離れた側面部、本発明の外側側面部に相当）の内面部に接触する（接触部２２）。そして、これら接触部２１，２２により、背面板１と側面板１１とが接合されている。
【００１８】
上記のように構成された外箱５１を用いて断熱箱体５０を形成する場合、以下のような工程となる。まず、側面板１１及び天井板３０の係合凹部１２に、背面板１のフランジ５の挿入部３を挿入し、側面板１１及び天井板３０と背面板１とを接合する。また、これらに、図示せぬ底面部等を取り付け、外箱５１を製作する。そして、外箱５１及び内箱５２の所定の位置に真空断熱材を貼り付け、外箱５１と内箱５２とを組み合わせる。その後、例えば背面板１に設けられた注入口１ａ（図３参照）から、外箱５１と内箱５２との間の空間に発泡断熱材５４の原液を注入して発泡させ、外箱５１と内箱５２との間の空間に発泡断熱材５４を充填する。
【００１９】
外箱５１と内箱５２との間の空間に発泡断熱材５４を発泡充填する際、背面板１と側面板１１には、発泡断熱材５４の膨張に伴う圧力がかかる。詳しくは、係合凹部１２の側面部１２ａと基端側板部３ｂが接触する接触部２２に、側面板１１と略垂直で側面板１１側に向かう圧力がかかる。このとき、本実施の形態１に係る接合構成は、背面板１のフランジ５の挿入部３が、折り曲げ部３ａ内の２カ所で当該折り曲げ部３ａと接触している。このため、接触部２２で挿入部３の基端側板部３ｂにかかった側面板１１方向の圧力は、接触部２１においては、挿入部３の先端側板部３ｃを係合凹部１２の側面部１２ｂに押し付ける方向に作用する。したがって、本実施の形態１に係る接合構造は、発泡断熱材５４の発泡充填時、側面板１１と背面板１との接触面積が大きくなり、両者の接合強度が大きくなる。つまり、本実施の形態１に係る接合構造は、発泡断熱材５４の発泡充填時、側面板１１と背面板１とがずれない構造となっており、側面板１１と背面板１との接合部から発泡断熱材５４が漏れることを防止できる。
【００２０】
以上、本実施の形態１のように構成された断熱箱体５０及び当該断熱箱体５０を備えた冷蔵庫９０においては、背面板１のフランジ５に非挿入部４を設けているので、背面板１の端部に真空断熱材５３や発泡断熱材５４を設けるスペースを確保することができ、断熱箱体５０の断熱性能を向上させることができる。また、本実施の形態１のように構成された断熱箱体５０及び当該断熱箱体５０を備えた冷蔵庫９０は、上記のような接合構造で側面板１１と背面板１とを接合しているので、背面板１の端部に真空断熱材５３や発泡断熱材５４を設けるスペースを確保しても、発泡断熱材５４を発泡充填する際に側面板１１と背面板１との接合部から発泡断熱材５４が漏れることを防止できる。
【００２１】
なお、本実施の形態１では、外箱５１と内箱５２との間の空間に真空断熱材５３及び発泡断熱材５４の双方を設けた。これにかぎらず、外箱５１と内箱５２との間の空間に発泡断熱材５４のみを設けた断熱箱体及び冷蔵庫においても、本発明を実施することができる。
【００２２】
実施の形態２．
背面板１のフランジ５に設けられた非挿入部４の形状は、実施の形態１で示した形状に限定されるものではない。例えば以下のように非挿入部４を形成してもよい。なお、本実施の形態２に係る冷蔵庫９０は、非挿入部４の形状以外、実施の形態１で示した冷蔵庫９０と同じ構成である。このため、以下では、本実施の形態２に係る非挿入部４の形状を中心に説明するものとし、本実施の形態２で記載されていない構成は実施の形態１と同様とする。
【００２３】
図５は、本発明の実施の形態２に係る冷蔵庫の側面板と背面板との接続構造を示す断面図である。この図は、図３のＺ−Ｚ断面位置での断面図である。
図５に示すように、本実施の形態２では、背面板１のフランジ５に設けられた非挿入部４を、第１の非挿入部４ａと第２の非挿入部４ｂとで構成している。第１の非挿入部４ａは、側面板１１と略同一面に配置され、略平板形状をしている。第２の非挿入部４ｂは、第１の非挿入部４ａと挿入部３とを連結するものである。この第２の非挿入部４ｂは、側面板１１の係合凹部１２の後端部と接触部２３において接触している。このように非挿入部４を構成することにより、背面板１の端部において真空断熱材５３や発泡断熱材５４を設けるスペースを拡大することができ、実施の形態１よりも断熱箱体５０の断熱性能をさらに向上させることができる。
【００２４】
また、本実施の形態２のように非挿入部４を構成することにより、実施の形態１と比べ、側面板１１と背面板１との接合強度をさらに向上させることもできる。
詳しくは、本実施の形態２では、背面板１のフランジ５の挿入部３の構成及び側面板１１の係合凹部１２の構成が、実施の形態１と同様になっている。このため、挿入部３と係合凹部１２との間の接合強度は、本実施の形態２と実施の形態１とで同様となる。さらに、本実施の形態２では、第２の非挿入部４ｂと側面板１１の係合凹部１２の後端部とが接触する接触部２３を備えている。このため、側面板１１の後端部と背面板１の基板部２との間に膨張してきた発泡断熱材５４の圧力は、接触部２３において、第２の非挿入部４ｂを側面板１１の係合凹部１２の後端部に押し付ける方向に作用する。このため、本実施の形態２のように非挿入部４を構成することにより、接触部２３においても側面板１１と背面板１との接合強度が向上する。
【００２５】
以上、本実施の形態２のように冷蔵庫９０を構成することにより、実施の形態１と比べ、断熱箱体５０の断熱性能をさらに向上させることができる。また、本実施の形態２のように冷蔵庫９０を構成することにより、実施の形態１と比べ、背面板１と側面板１１との接合強度をより向上させることができるので、発泡断熱材５４を発泡充填する際に側面板１１と背面板１との接合部から発泡断熱材５４が漏れることをさらに防止できる。
【００２６】
さらに、本実施の形態２のように非挿入部４を構成することにより、第１の非挿入部４ａの前後方向の長さを変更することで、冷蔵庫９０の奥行きを変更することができる。このため、側面板１１の形状を変えることなく、寸法違いの冷蔵庫９０を製作することもできる。
【符号の説明】
【００２７】
１  背面板、１ａ  注入口、２  基板部、３  挿入部、３ａ  折り曲げ部、３ｂ  基端側板部、３ｃ  先端側板部、４  非挿入部、４ａ  第１の非挿入部、４ｂ  第２の非挿入部、５  フランジ、１１  側面板、１２  係合凹部、１２ａ  側面部、１２ｂ  側面部、２１  接触部、２２  接触部、２３  接触部、３０  天井板、５０  断熱箱体、５１  外箱、５２  内箱、５３  真空断熱材、５４  発泡断熱材、５５  仕切板、５６  扉、５７  冷却器、９０  冷蔵庫、１０１  背面板（従来）、１０２  基板部（従来）、１０３  フランジ（従来）、１０４  非挿入部、１１１  側面板（従来）、１１２  係合凹部（従来）、１２１  接触部（従来）、１２２  接触部（従来）。
【図１】
2014035121.tif 000003
【図２】
2014035121.tif 000004
【図３】
2014035121.tif 000005
【図４】
2014035121.tif 000006
【図５】
2014035121.tif 000007
【図６】
2014035121.tif 000008